(57)【特許請求の範囲】
【請求項１】
自装置との間で通信リンクを確立させた携帯端末装置から、ユーザが該携帯端末装置に対して施した加工に関する加工情報を取得する加工情報取得部と、
前記加工情報取得部によって取得された加工情報を解析処理し、自装置の動作設定情報へ変換する解析変換部と、
前記解析変換部によって生成された動作設定情報に基づき自装置の動作設定状態を変更する設定変更部と
を備え、
前記加工情報取得部は、
前記携帯端末装置に記憶されるアプリケーションの種別を示す種別情報を含む加工情報を取得し、
前記解析変換部は、
前記加工情報に含まれるアプリケーションの種別情報に基づいて前記加工情報を自装置の動作設定情報に変換することを特徴とする車載装置。
【請求項２】
前記解析変換部は、
前記加工情報に含まれるアプリケーションの種別情報に基づいてユーザの嗜好を推測し、該推測されたユーザの嗜好に基づいて前記加工情報を自装置の動作設定情報に変換することを特徴とする請求項１に記載の車載装置。
【請求項３】
前記加工情報取得部は、
前記携帯端末装置に対してダウンロードされたアプリケーションの操作情報を含む加工情報を取得し、
前記解析変換部は、
前記加工情報に含まれるアプリケーションの操作情報に基づいてユーザの嗜好を推測し、該推測されたユーザの嗜好に基づいて前記加工情報を自装置の動作設定情報へ変換することを特徴とする請求項１に記載の車載装置。
【請求項４】
前記設定変更部は、
自装置との間で通信リンクを確立させた携帯端末装置が複数台存在する場合には、所定の優先条件に従って決定された前記携帯端末装置からの前記加工情報に基づいて設定変更を行うことを特徴とする請求項１〜３のいずれか一つに記載の車載装置。
【発明の詳細な説明】
【技術分野】
【０００１】
本発明は、車載装置に関する。
【背景技術】
【０００２】
従来、スマートフォン等の通信機器と連携して各種のサービスを提供する車載装置が知られている。
【０００３】
また、近年では、車載装置による情報提示の態様をユーザの特性や嗜好に応じて変更する技術が知られている。
【０００４】
たとえば、特許文献１には、通信機器のユーザに対して提示する情報内容や表示形式を通信機器の識別子と関連付けてあらかじめ記憶しておき、通信機器との通信が確立した場合に、この通信機器に対応する設定情報を用いて情報提示を行う車載装置が開示されている。
【先行技術文献】
【特許文献】
【０００５】
【特許文献１】国際公開第２００８／０４７４０７号
【発明の概要】
【発明が解決しようとする課題】
【０００６】
しかしながら、上述した従来技術は、ユーザの嗜好や趣味等の特性が変化した場合、かかる変化に情報提示の態様を追従させることが容易ではなかった。
【０００７】
たとえば、従来技術では、ユーザに対応する設定情報として、あらかじめ記憶された固定的な情報が使用される。このため、従来技術では、ユーザの特性や嗜好の変化に対して情報提示の態様を追従させることが困難であった。また、情報提示の態様を変更する場合には、キー操作等を行って設定情報を変更することとなるため、ユーザに煩わしさを感じさせるおそれがあった。
【０００８】
特に、レンタカーやカーシェアリング等のように、使用者（運転者や搭乗者等）が頻繁に変わるような場合に、使用者の嗜好に合った設定情報に変更するための操作に煩わしさを感じさせるおそれがあった。
【０００９】
開示の技術は、上記に鑑みてなされたものであって、ユーザの特性や嗜好等の変化に対して情報提示の態様を容易に追従させることのできる車載装置を提供することを目的とする。
【課題を解決するための手段】
【００１０】
本願の開示する車載装置は、自装置との間で通信リンクを確立させた携帯端末装置から、ユーザが該携帯端末装置に対して施した加工に関する加工情報を取得する加工情報取得部と、前記加工情報取得部によって取得された加工情報を解析処理し、自装置の動作設定情報へ変換する解析変換部と、前記解析変換部によって生成された動作設定情報に基づき自装置の動作設定状態を変更する設定変更部とを備え、加工情報取得部は、携帯端末装置に記憶されるアプリケーションの種別を示す種別情報を含む加工情報を取得し、解析変換部は、加工情報に含まれるアプリケーションの種別情報に基づいて前記加工情報を自装置の動作設定情報に変換する。
【発明の効果】
【００１２】
本願の開示する車載装置の一つの態様によれば、ユーザの特性の変化に対して情報提示の態様を容易に追従させることができる。
【図面の簡単な説明】
【００１３】
【図１】図１は、実施例１に係る車載装置の概要図である。
【図２Ａ】図２Ａは、車載装置のディスプレイに表示される画面の表示例を示す図である。
【図２Ｂ】図２Ｂは、車載装置のディスプレイに表示される画面の表示例を示す図である。
【図３】図３は、車載装置および携帯端末装置の構成を示すブロック図である。
【図４】図４は、変換処理の動作例を示す図である。
【図５Ａ】図５Ａは、変換処理の他の動作例を示す図である。
【図５Ｂ】図５Ｂは、変換処理の他の動作例を示す図である。
【図６】図６は、車載装置が実行する処理の処理手順を示すフローチャートである。
【図７】図７は、携帯端末装置が実行する処理の処理手順を示すフローチャートである。
【図８】図８は、実施例２に係る変換処理の動作例を示す図である。
【図９】図９は、実施例２に係る変換処理の他の動作例を示す図である。
【発明を実施するための形態】
【００１４】
以下に添付図面を参照して、本願の開示する車載装置のいくつかの実施例を詳細に説明する。ただし、これらの実施例における例示で本発明が限定されるものではない。
【実施例１】
【００１５】
まず、実施例１に係る車載装置の概要について図１を用いて説明する。図１は、実施例１に係る車載装置の概要図である。図１に示すように、車載装置１は、車両７０に搭載されるカーナビゲーション装置等の装置である。
【００１６】
実施例１に係る車載装置１は、車両７０に乗車するユーザの嗜好や趣味等の特性に応じて情報提示の態様を変更することができる。特に、実施例１に係る車載装置１は、各ユーザが所持する携帯端末装置２から加工情報を取得し、取得した加工情報に基づいて情報提示の態様を変更する。加工情報とは、ユーザが携帯端末装置に対して施した加工に関する情報である。
【００１７】
ここで、携帯端末装置２は、車載装置１や家庭用の電化製品等と異なり、ユーザによって常に所持される可搬型の情報端末装置である。このため、携帯端末装置２には、ユーザの特性が蓄積され易く、また、ユーザの特性が変化した場合であっても、かかる変化が反映され易い。携帯端末装置２において、ユーザの特性は、携帯端末装置２に対してユーザが施した加工、たとえば、壁紙の変更や文字フォント・文字サイズ等の変更にあらわれる。したがって、実施例１に係る車載装置１は、かかる携帯端末装置２に対してユーザが施した加工に関する加工情報を利用して設定変更を行うことで、車載装置１を使用するユーザの変更や、ユーザの特性の変化に対して情報提示の態様を容易に追従させることができる。
【００１８】
図２Ａおよび図２Ｂに、車載装置１のディスプレイに表示される画面の表示例を示す。たとえば、図２Ａに示すように、車載装置１は、主婦Ａが所持する携帯端末装置２との間で通信リンクを確立した場合には、主婦Ａが携帯端末装置２へ施した加工に関する加工情報を取得し、取得した加工情報に基づいてタッチパネルディスプレイ１２へ表示させる画面デザインを変更する。これにより、車載装置１のタッチパネルディスプレイ１２には、たとえば、背景が花柄の画面が表示される。
【００１９】
また、図２Ｂに示すように、車載装置１は、お年寄りＢが所持する携帯端末装置２との間で通信リンクを確立した場合には、お年寄りＢが携帯端末装置２へ施した加工に関する加工情報を取得し、取得した加工情報に基づいてタッチパネルディスプレイ１２へ表示させる画面デザインを変更する。これにより、車載装置１のタッチパネルディスプレイ１２には、たとえば、文字サイズが大きめに設定された画面が表示される。
【００２０】
このように、実施例１に係る車載装置１によれば、煩雑な設定操作を行うことなく、タッチパネルディスプレイ１２に表示される画面をユーザの特性に合った画面に自動的に設定することができる。
【００２１】
以下では、車載装置１および携帯端末装置２の構成および動作について具体的に説明する。図３は、車載装置１および携帯端末装置２の構成を示すブロック図である。なお、図３では、車載装置１および携帯端末装置２の特徴を説明するために必要な構成要素のみを示しており、一般的な構成要素についての記載を省略している。
【００２２】
図３に示すように、車載装置１は、近距離通信インタフェース１１と、タッチパネルディスプレイ１２と、記憶部１３と、制御部１４とを備える。また、記憶部１３は、登録済みユーザ情報１３ａと、変換用アプリ１３ｂと、動作設定情報１３ｃとを記憶する。また、制御部１４は、認証処理部１４ａと、加工情報取得部１４ｂと、設定変更部１４ｃと、表示制御部１４ｄと、音量制御部１４ｅとを備える。
【００２３】
一方、携帯端末装置２は、たとえばスマートフォンであり、近距離通信インタフェース２１と、記憶部２２と、制御部２３とを備える。また、記憶部２２は、ユーザＩＤ２２ａと、設定情報２２ｂと、アプリＡ２２ｃと、アプリＢ２２ｄと、加工情報２２ｅと、変換用アプリ２２ｆとを記憶する。また、制御部２３は、認証処理部２３ａと、加工情報抽出部２３ｂと、規格化部２３ｃと、加工情報送信部２３ｄとを備える。
【００２４】
まず、携帯端末装置２の構成について説明する。近距離通信インタフェース２１は、車載装置１との間で近距離無線通信を行うための通信デバイスである。携帯端末装置２／車載装置１間の近距離無線通信としては、たとえば、Ｗｉ−Ｆｉ（登録商標）やブルートゥース（登録商標）、ＺｉｇＢｅｅ（登録商標）等の無線通信規格を用いた近距離無線通信を用いることができる。なお、携帯端末装置２／車載装置１間の通信を有線通信で行ってもよい。
【００２５】
記憶部２２は、不揮発性メモリやハードディスクドライブといった記憶デバイスであり、ユーザＩＤ２２ａ、設定情報２２ｂ、アプリＡ２２ｃ、アプリＢ２２ｄ、加工情報２２ｅおよび変換用アプリ２２ｆを記憶する。
【００２６】
ユーザＩＤ２２ａは、たとえば携帯端末装置２のＵＩＤである。なお、ユーザＩＤ２２ａは、ＵＩＤに限ったものではなく、たとえば、ユーザによって任意に設定されるＩＤであってもよい。
【００２７】
設定情報２２ｂは、携帯端末装置２において設定可能な各種項目の内容を含んだ情報である。たとえば、設定情報２２ｂには、文字サイズ、文字フォント、文字色、壁紙といった表示関係の項目や、操作音パターンや操作音音量といった音声関係の項目等が含まれる。
【００２８】
また、設定情報２２ｂには、後述するアプリＡ２２ｃやアプリＢ２２ｄ等のアプリケーションの操作情報も含まれる。ここで、アプリケーションの操作情報とは、アプリケーションに対してユーザが行った操作に関する情報である。たとえば、アプリケーションがスケジュール管理用のアプリケーションである場合には、登録されたスケジュールの内容や、スケジュール表のレイアウトなどの情報が、アプリケーションの操作情報に該当する。
【００２９】
設定情報２２ｂは、ユーザが携帯端末装置２の設定変更（たとえば、壁紙の変更や操作音パターンの変更など）を行うたびに制御部２３によって更新される。
【００３０】
アプリＡ２２ｃおよびアプリＢ２２ｄは、携帯端末装置２のユーザによってダウンロードされたアプリケーションである。たとえば、アプリＡ２２ｃは、囲碁ゲームのアプリケーションであり、アプリＢ２２ｄは、釣りゲームのアプリケーションである。
【００３１】
加工情報２２ｅは、携帯端末装置２に対してユーザが施した加工に関する情報であり、加工情報抽出部２３ｂによって生成される。かかる加工情報２２ｅの内容については、後述する。
【００３２】
変換用アプリ２２ｆは、加工情報２２ｅの内容を、複数機種の携帯端末装置２および複数機種の車載装置１間で共通して用いられる規格化設定情報の内容へ変換するためのアプリケーションである。かかる変換用アプリ２２ｆは、後述する規格化部２３ｃによって実行される。
【００３３】
制御部２３は、携帯端末装置２全体を制御する制御部であり、認証処理部２３ａ、加工情報抽出部２３ｂ、規格化部２３ｃおよび加工情報送信部２３ｄを備える。
【００３４】
認証処理部２３ａは、車両７０に搭載される認証装置３からの要求に応じてユーザＩＤ２２ａを認証装置３へ送信する処理を行う処理部である。認証装置３へ送信されたユーザＩＤ２２ａは、認証装置３によって車載装置１の認証処理部１４ａへ受け渡される。
【００３５】
なお、認証装置３は、車両７０へ乗車したユーザの認証を行うための装置である。具体的には、認証装置３は、ＲＦＩＤ（Radio  Frequency  Identification）等の近距離無線通信を用いて携帯端末装置２からユーザＩＤ２２ａを取得し、取得したユーザＩＤ２２ａを車載装置１へ受け渡す処理を行う。ここでは、認証装置３が車載装置１と別体である場合の例を示したが、車載装置１が認証装置３を備えていてもよい。
【００３６】
加工情報抽出部２３ｂは、記憶部２２に記憶される設定情報２２ｂやアプリＡ２２ｃやアプリＢ２２ｄ等のアプリケーションから必要な情報を抽出して加工情報２２ｅを生成する処理部である。加工情報２２ｅには、設定情報２２ｂの一部または全ての項目や、アプリＡ２２ｃやアプリＢ２２ｄ等のアプリケーションの種別を示す種別情報等が含まれる。なお、アプリケーションの種別とは、たとえば「ゲーム」や「音楽」、「写真」等である。
【００３７】
加工情報抽出部２３ｂは、たとえば設定情報２２ｂに含まれる各項目のうち「文字サイズ」、「文字色」、「背景色」、「操作音音量」、「時計パターン」といった項目を抽出する。また、加工情報抽出部２３ｂは、アプリＡ２２ｃ、アプリＢ２２ｄを参照し、これらのアプリケーションの種別を示す種別情報を抽出する。そして、加工情報抽出部２３ｂは、抽出したこれらの情報を用いて加工情報２２ｅを生成して記憶部２２へ記憶する。
【００３８】
なお、アプリケーションの種別を示す種別情報は、アプリケーションデータにあらかじめ含まれているものとするが、アプリケーションデータに種別情報が含まれていない場合には、アプリケーションを識別して種別を特定する処理を加工情報抽出部２３ｂが行ってもよい。
【００３９】
また、本実施例では、加工情報抽出部２３ｂによって生成される加工情報が記憶部２２に記憶される場合の例を示したが、加工情報抽出部２３ｂは、携帯端末装置２から近距離通信インタフェース２１経由で加工情報取得要求を受信した場合に、加工情報を生成して規格化部２３ｃへ渡すこととしてもよい。また、車載装置１の制御部１４が加工情報抽出部２３ｂを備えていてもよい。
【００４０】
規格化部２３ｃは、携帯端末装置２から近距離通信インタフェース２１経由で加工情報取得要求を受信した場合に、記憶部２２に記憶される加工情報２２ｅの内容を変換用アプリ２２ｆを用いて規格化したうえで、加工情報送信部２３ｄへ渡す処理部である。かかる規格化部２３ｃによって、加工情報２２ｅの内容は、複数機種の携帯端末装置２および複数機種の車載装置１間で共通して用いられる規格化設定情報の内容へ変換される。
【００４１】
加工情報送信部２３ｄは、規格化部２３ｃから規格化された加工情報２２ｅを受け取った場合に、受け取った加工情報２２ｅを近距離通信インタフェース２１経由で携帯端末装置２へ送信する処理を行う処理部である。
【００４２】
つづいて、車載装置１の構成について説明する。近距離通信インタフェース１１は、携帯端末装置２との間で近距離無線通信を行うための通信デバイスである。また、タッチパネルディスプレイ１２は、各種画像を表示するためのディスプレイの表面に入力用のタッチパネルを付した入出力デバイスである。
【００４３】
記憶部１３は、不揮発性メモリやハードディスクドライブといった記憶デバイスであり、登録済みユーザ情報１３ａ、変換用アプリ１３ｂおよび動作設定情報１３ｃを記憶する。登録済みユーザ情報１３ａは、登録済みのユーザＩＤ２２ａの蓄積情報である。
【００４４】
変換用アプリ１３ｂは、規格化設定情報の内容を車載装置１で取り扱う設定情報の内容へ変換するためのアプリケーションである。かかる変換用アプリ１３ｂは、後述する設定変更部１４ｃによって実行される。
【００４５】
動作設定情報１３ｃは、車載装置１において設定可能な各種項目の内容を含んだ情報である。たとえば、動作設定情報１３ｃには、文字サイズや、壁紙、音量といった項目等が含まれる。かかる動作設定情報１３ｃは、ユーザのタッチパネルディスプレイ１２への操作等によって変更されるほか、後述する設定変更部１４ｃによっても変更される。
【００４６】
制御部１４は、車載装置１全体を制御する制御部であり、認証処理部１４ａ、加工情報取得部１４ｂ、設定変更部１４ｃ、表示制御部１４ｄ、音量制御部１４ｅを備える。
【００４７】
認証処理部１４ａは、認証装置３から受け取ったユーザＩＤ２２ａに基づいてユーザ認証を行う処理部である。具体的には、認証処理部１４ａは、認証装置３から受け取ったユーザＩＤ２２ａが登録済みユーザ情報１３ａに含まれるか否かを判定し、含まれると判定した場合に、このユーザを認証する。
【００４８】
また、車載装置１の制御部１４は、ユーザの認証に成功すると、携帯端末装置２との間で通信リンクを確立させる処理を行う。そして、認証処理部１４ａは、携帯端末装置２との間で通信リンクが確立すると、携帯端末装置２に対して加工情報取得要求を送信する。
【００４９】
加工情報取得部１４ｂは、携帯端末装置２の加工情報送信部２３ｄから送信された加工情報２２ｅを近距離通信インタフェース１１経由で受信し、設定変更部１４ｃへ渡す処理を行う処理部である。実施例１において、加工情報取得部１４ｂは、規格化された加工情報２２ｅを受信する。
【００５０】
設定変更部１４ｃは、動作設定情報１３ｃの変更を行う処理部である。具体的には、設定変更部１４ｃは、加工情報取得部１４ｂから加工情報２２ｅを受け取った場合に、受け取った加工情報２２ｅに基づいて自装置の動作設定状態を変更する。
【００５１】
このとき、設定変更部１４ｃは、加工情報を解析処理し、自装置の動作設定情報１３ｃへ変換する解析変換処理を行う。そして、設定変更部１４ｃは、解析変換処理によって生成された動作設定情報１３ｃに応じて動作設定情報１３ｃを変更する。設定変更部１４ｃが実行する解析変換処理および設定変更処理の内容については、図４を用いて後述する。
【００５２】
表示制御部１４ｄは、記憶部１３に記憶された動作設定情報１３ｃに従い、初期画面やメニュー画面といった各種の画面を生成してタッチパネルディスプレイ１２へ表示させる処理を行う処理部である。また、音量制御部１４ｅは、記憶部１３に記憶された動作設定情報１３ｃに従い、車両７０に搭載されるスピーカ４の出力音量を制御する、具体的にはスピーカ４に駆動信号を出力する増幅回路の増幅度を制御する処理部である。なお、ここでは、スピーカ４が車載装置１と別体である場合の例を示したが、車載装置１がスピーカ４を備えていてもよい。
【００５３】
次に、設定変更部１４ｃが実行する解析変換処理の動作例について図４を用いて説明する。図４は、解析変換処理の動作例を示す図である。ここで、図４の左側には、携帯端末装置２の記憶部２２に記憶される加工情報２２ｅの一例を示している。また、図４の中央には、規格化された加工情報２２ｅの一例を示し、図４の右側には、車載装置１の記憶部１３に記憶される動作設定情報１３ｃの一例を示している。
【００５４】
図４に示すように、加工情報２２ｅには、「ダウンロードアプリ」、「文字サイズ」、「文字フォント」、「文字色」、「背景色」、「壁紙」といった項目が含まれる。携帯端末装置２の規格化部２３ｃは、加工情報２２ｅに含まれるこれらの項目の内容を、変換用アプリ２２ｆを用いて規格化設定情報の内容へ変換する。
【００５５】
これにより、加工情報２２ｅの各項目の内容は、他の機種で利用可能な一般的な内容へ変換される。たとえば、規格化部２３ｃは、「ダウンロードアプリ」の内容が「Ａ１」（たとえば、「囲碁ゲーム」）である場合には、かかる内容を「Ｂ１」（たとえば、「ボードゲーム」）へ変換する。また、規格化部２３ｃは、「壁紙」の内容が「夏の海」である場合には、かかる内容を「海」へ変換する。また、規格化部２３ｃは、「操作音音量」の内容が「Ａ１０」（たとえば、「５段階中の３」）である場合には、かかる内容を「Ｂ１０」（たとえば、「１０段階中の６」）へ変換する。
【００５６】
また、規格化部２３ｃは、加工情報２２ｅには含まれないが規格化設定情報に含まれる項目がある場合には、加工情報２２ｅに含まれる項目の内容を流用して変換処理を行う。たとえば、規格化設定情報に含まれる「警告音パターン」および「警告音音量」は、加工情報２２ｅには含まれない。かかる場合、規格化部２３ｃは、加工情報２２ｅに含まれる「呼び出し音パターン」項目の内容「Ａ１１」を流用し、かかる「Ａ１１」を「警告音パターン」項目の内容「Ｂ１３」へ変換する。同様に、規格化部２３ｃは、加工情報２２ｅに含まれる「呼び出し音音量」項目の内容「Ａ１２」を流用し、かかる「Ａ１２」を「警告音音量」項目の内容「Ｂ１４」へ変換する。
【００５７】
なお、「起動音パターン」のように、加工情報２２ｅには含まれるが規格化設定情報には含まれない項目が存在する場合、規格化部２３ｃは、かかる項目の変換を行わない。
【００５８】
また、加工情報２２ｅの各項目に関して、「文字サイズ」、「文字フォント」、「文字色」、「背景色」等は、設定された内容に対応するレベルや数値となるよう規格化設定情報に変換され、「ダウンロードアプリ」や「壁紙」等は、設定された内容と、例えば、ユーザの年齢、性別、住所、職業、使用頻度等のユーザ情報とに基づいて、ユーザが希望する設定状態を推測した設定推測情報を導出し、導出された設定推測情報に基づいて規格化設定情報に変換される。
【００５９】
つづいて、車載装置１では、加工情報取得部１４ｂが、規格化された加工情報２２ｅを携帯端末装置２から受信すると、設定変更部１４ｃが、変換用アプリ１３ｂを用いてかかる加工情報２２ｅの解析変換処理を行う。たとえば、設定変更部１４ｃは、規格化された加工情報２２ｅにおける「文字サイズ」項目の内容が「Ｂ２」である場合には、かかる内容「Ｂ２」を「Ｃ２」へ変換する。
【００６０】
さらに、設定変更部１４ｃは、規格化された加工情報２２ｅに含まれる「ダウンロードアプリ」項目の内容を考慮して、他の項目の内容の解析変換を行う。たとえば、設定変更部１４ｃは、規格化された加工情報２２ｅに含まれる「ダウンロードアプリ」項目の内容が「Ｂ１」（たとえば、「ボードゲーム」）である場合には、「壁紙」項目の内容「海」を「海（ゲーム風）」へ変換する。また、設定変更部１４ｃは、規格化された加工情報２２ｅに含まれる「時計パターン」項目の内容「デジタル」を、「ダウンロードアプリ」項目の内容「Ｂ１」を考慮して「ゲーム風デジタル」へ変更する。
【００６１】
このように、設定変更部１４ｃは、加工情報取得部１４ｂによって取得された加工情報を解析処理し、自装置の動作設定情報へ変換する解析変換部として機能する。すなわち、設定変更部１４ｃは、携帯端末装置２のユーザがダウンロードしたアプリケーションを考慮し、「壁紙」や「音パターン」、「時計パターン」といった他の項目の内容を変換することで、ユーザの特性をより忠実に反映させた設定変更を行うことができる。
【００６２】
次に、解析変換処理の他の動作例について図５Ａおよび図５Ｂを用いて説明する。図５Ａおよび図５Ｂは、解析変換処理の他の動作例を示す図である。
【００６３】
設定変更部１４ｃは、あらかじめ決められた複数の設定パターンの中から、携帯端末装置２にダウンロードされたアプリケーションの数や種別に基づいて１つの設定パターンを選択し、選択した設定パターンで動作設定情報１３ｃを変更することも可能である。
【００６４】
たとえば、図５Ａに示すように、設定変更部１４ｃは、携帯端末装置２にダウンロードされたアプリケーションの数に対して１個につき１点を加算する。すなわち、設定変更部１４ｃは、携帯端末装置２に１０個のアプリケーションがダウンロードされている場合には、１０点を加算する。
【００６５】
また、設定変更部１４ｃは、携帯端末装置２にダウンロードされた全アプリケーションのうち、ａ種（たとえば、ゲーム）のアプリケーションが占める割合である「ａ種アプリ割合」に対して１０％につき１点を加算する。すなわち、「ａ種アプリ割合」が３０％である場合には、３０点が加算される。同様に、設定変更部１４ｃは、「ｂ種アプリ割合」に対して１０％につき５点を、「ｃ種アプリ割合」に対して１０％につき１０点を、「ｄ種アプリ割合」に対して１０％につき２０点を、「ｅ種アプリ割合」に対して１０％につき４０点をそれぞれ加算する。
【００６６】
つづいて、設定変更部１４ｃは、合計点が「０〜２０点」であれば設定パターン「Ｐ１」を選択し、「２１〜５０点」であれば設定パターン「Ｐ２」を選択し、「５１〜１００点」であれば設定パターン「Ｐ３」を選択し、「１０１〜３００点」であれば設定パターン「Ｐ４」を選択する。また、設定変更部１４ｃは、合計点が「３０１点以上」であれば設定パターン「Ｐ５」を選択する。そして、設定変更部１４ｃは、選択した設定パターンで動作設定情報１３ｃを設定する。
【００６７】
このように、設定変更部１４ｃは、アプリケーションの数や種別に基づいて計算された点数に応じて、あらかじめ決定された複数の設定パターンの中から１つの設定パターンを選択することとしてもよい。
【００６８】
また、設定変更部１４ｃは、図４に示す規格化された加工情報２２ｅの内容を上記の合計点数に応じて部分的に変更することとしてもよい。たとえば、図５Ｂに示すように、設定変更部１４ｃは、合計点が「０〜２０点」であれば、規格化された加工情報２２ｅに含まれる「文字サイズ」項目の内容「Ｂ２」（たとえば、「１０ｐｔ」）を「β２」（たとえば、「１２ｐｔ」）へ変更したり、「文字フォント」項目の内容「Ｂ３」（たとえば、「明朝」）を「β３」（たとえば、「ゴシック」）へ変更したりする。
【００６９】
このように、車載装置１では、加工情報取得部１４ｂが、携帯端末装置２に記憶されるアプリケーションの種別を示す種別情報を含む加工情報２２ｅを取得し、設定変更部１４ｃが、加工情報に含まれるアプリケーションの種別情報に基づいてユーザの嗜好を推測し、該推測されたユーザの嗜好に基づいて加工情報を自装置の動作設定情報へ変換することとしてもよい。このようにすることで、ユーザの特性をより忠実に反映させた設定変更を行うことができる。
【００７０】
なお、加工情報２２ｅには、アプリケーションの種別情報だけでなく、アプリケーションの操作情報も含まれる。アプリケーションの操作情報とは、上述したように、アプリケーションに対してユーザが行った操作に関する情報である。設定変更部１４ｃは、かかるアプリケーションの操作情報に基づいてユーザの嗜好を推測し、該推測されたユーザの嗜好に基づいて前記加工情報を自装置の動作設定情報に変換してもよい。
【００７１】
たとえば、アプリケーションがスケジュール管理用のアプリケーションである場合には、登録されたスケジュールの内容や、スケジュール表のレイアウトなどの情報がアプリケーションの操作情報に該当する。設定変更部１４ｃは、かかる操作情報を用いて、たとえば図２Ａに示したようなスケジュール表を含んだ初期画面を表示する設定に動作設定情報１３ｃを変更する。
【００７２】
このように、車載装置１では、加工情報取得部１４ｂが、携帯端末装置２に対してダウンロードされたアプリケーションの操作情報を加工情報２２ｅとして取得し、設定変更部１４ｃが、加工情報取得部１４ｂによって取得されたアプリケーションの操作情報に基づいてユーザの嗜好を推測し、該推測されたユーザの嗜好に基づいて前記加工情報を自装置の動作設定情報に変換することとしてもよい。このようにすることでも、ユーザの特性をより忠実に反映させた設定変更を行うことができる。
【００７３】
次に、車載装置１の具体的動作について図６を用いて説明する。図６は、車載装置１が実行する処理の処理手順を示すフローチャートである。なお、図６には、車載装置１が実行する処理のうち、携帯端末装置２との間で通信リンクを確立させてからタッチパネルディスプレイ１２に対して初期画面を表示させるまでの処理手順を示している。
【００７４】
図６に示すように、車載装置１の制御部１４は、自動設定モードがＯＮされているか否かを判定する（ステップＳ１０１）。ここで、自動設定モードとは、設定変更部１４ｃによる設定変更処理を行うモードである。このように、ユーザは、設定変更部１４ｃによる設定変更処理を行うか否かを任意に選択することができる。
【００７５】
ステップＳ１０１の処理において自動設定モードがＯＮされていると判定すると（ステップＳ１０１，Ｙｅｓ）、制御部１４は、車両７０内に複数台の携帯端末装置２が存在するか否かを判定する（ステップＳ１０２）。具体的には、制御部１４は、自装置との間で通信リンクを確立させた携帯端末装置２が複数台存在する場合に、車両７０内に複数台の携帯端末装置２が存在すると判定する。
【００７６】
ステップＳ１０２において、車両７０内に複数台の携帯端末装置２が存在すると判定すると（ステップＳ１０２，Ｙｅｓ）、制御部１４は、端末決定処理を実行する（ステップＳ１０３）。ここで、端末決定処理とは、加工情報２２ｅの取得先となる携帯端末装置２を決定する処理、すなわち、特性を反映させるユーザを決定する処理である。
【００７７】
たとえば、制御部１４は、自装置との間で通信リンクを確立した携帯端末装置２のうち認証装置３によって認証されたユーザの携帯端末装置２を、加工情報２２ｅの取得先となる携帯端末装置２として決定する。あるいは、自装置との間で通信リンクを確立した携帯端末装置２のリストを表示し、そのリストからユーザが選択した携帯端末装置２を、加工情報２２ｅの取得先となる携帯端末装置２として決定する、と言った決定手法を採用することも可能である。
【００７８】
また、制御部１４は、たとえば男性が所持する携帯端末装置２の加工情報よりも女性が所持する携帯端末装置２の加工情報を優先的に取得したり、若者が所持する携帯端末装置２の加工情報よりもお年寄りが所持する携帯端末装置２の加工情報を優先的に取得したりしてもよい。
【００７９】
また、制御部１４は、車両７０への乗車回数が最も多いユーザが所持する携帯端末装置２の加工情報を優先的に取得してもよい。ユーザの性別や年齢は、たとえば携帯端末装置２から近距離通信インタフェース１１を介して取得することができる。また、車両７０への乗車回数は、たとえば携帯端末装置２のＵＩＤと関連付けて車載装置１の記憶部１３に記憶しておけばよい。
【００８０】
また、制御部１４は、車両７０に乗車するユーザの各携帯端末装置２の加工情報について、項目毎に多数決を採って処理する加工情報とする、と言った方法も採用することが可能である。
【００８１】
ステップＳ１０３の処理を終えると、加工情報取得部１４ｂは、ステップＳ１０３の端末決定処理において決定された携帯端末装置２から加工情報２２ｅを取得する（ステップＳ１０４）。一方、ステップＳ１０２において複数台の携帯端末装置２が存在しない場合（ステップＳ１０２，Ｎｏ）、すなわち、車両７０内に携帯端末装置２が１台だけ存在する場合には、加工情報取得部１４ｂは、かかる携帯端末装置２から加工情報２２ｅを取得する。
【００８２】
なお、ステップＳ１０４において取得される加工情報は、携帯端末装置２の規格化部２３ｃによって規格化された加工情報２２ｅである。
【００８３】
つづいて、設定変更部１４ｃは、携帯端末装置２から取得した加工情報２２ｅに対して解析処理を行うことによって動作設定情報１３ｃを生成し（ステップＳ１０５）、生成した動作設定情報１３ｃを用いて自装置の動作設定状態を変更する設定変更処理を行う（ステップＳ１０６）。
【００８４】
ステップＳ１０６の処理を終えたとき、あるいは、ステップＳ１０１において自動設定モードがＯＮされていない場合（ステップＳ１０１，Ｎｏ）、表示制御部１４ｄは、動作設定情報１３ｃに従って初期画面を生成してタッチパネルディスプレイ１２へ表示させ（ステップＳ１０７）、処理を終える。
【００８５】
次に、携帯端末装置２の具体的動作について図７を用いて説明する。図７は、携帯端末装置２が実行する処理の処理手順を示すフローチャートである。なお、図７に示す処理手順は、携帯端末装置２の起動中において繰り返し実行される。
【００８６】
図７に示すように、携帯端末装置２では、制御部２３が、加工情報取得要求を受信したか否かを判定し（ステップＳ２０１）、受信したと判定すると（ステップＳ２０１，Ｙｅｓ）、規格化部２３ｃが、記憶部２２から加工情報２２ｅを取り出し、取り出した加工情報２２ｅを変換用アプリ２２ｆを用いて規格化する（ステップＳ２０２）。
【００８７】
なお、ステップＳ２０１において加工情報取得要求を受信していない場合（ステップＳ２０１，Ｎｏ）、制御部２３は、加工情報取得要求を受信するまでステップＳ２０１の処理を繰り返す。
【００８８】
ステップＳ２０２の処理を終えると、加工情報送信部２３ｄは、規格化された加工情報２２ｅを車載装置１に対して送信し（ステップＳ２０３）、処理を終える。
【００８９】
上述してきたように、実施例１では、加工情報取得部が、自装置との間で通信リンクを確立させた携帯端末装置から、ユーザが該携帯端末装置に対して施した加工に関する加工情報を取得する。また、実施例１では、設定変更部が、加工情報取得部によって取得された加工情報を解析処理し、自装置の動作設定情報へ変換する解析変換処理を行うとともに、解析変換処理によって生成された動作設定情報に基づき自装置の動作設定状態を変更することとした。
【００９０】
したがって、実施例１に係る車載装置によれば、搭乗者の変更に伴う装置を使用する使用者の変更やユーザの特性の変化に対して情報提示の態様を容易に追従させることができる。
【００９１】
また、実施例１では、設定変更部が、加工情報の内容を自装置で取り扱う設定情報の内容へ変換する解析変換処理を行ったうえで設定変更を行うこととした。具体的には、加工情報取得部が、規格化された加工情報を携帯端末装置から取得し、設定変更部が、記憶部に記憶された変換用アプリケーションを用い、規格化された加工情報の内容を自装置で取り扱う設定情報の内容へ変換する解析変換処理を行ったうえで、設定変更を行うこととした。
【００９２】
これにより、車載装置は、通信リンクを確立させた携帯端末装置の機種によらず、常に、規格化された加工情報を取得することとなるため、携帯端末装置の機種ごとに変換用アプリケーションを記憶しておく必要がない。
【００９３】
また、実施例１では、設定変更部が、自装置との間で通信リンクを確立させた携帯端末装置が複数台存在する場合に、所定の優先条件に従って決定された一の携帯端末装置からの加工情報に基づいて設定変更を行うこととした。したがって、車両に複数のユーザが乗車している場合であっても、特性を反映させるユーザを容易に決定することができる。
【００９４】
なお、実施例１では、設定変更部が、解析変換処理も併せて行う場合の例を示したが、車載装置の制御部は、設定変更部とは別に解析変換処理を行う処理部（解析変換部）を備えていてもよい。
【実施例２】
【００９５】
ところで、上述してきた実施例１では、携帯端末装置２の規格化部２３ｃが、加工情報２２ｅを規格化したうえで車載装置１へ送信し、車載装置１の設定変更部１４ｃが、規格化された加工情報２２ｅを自装置で取り扱う動作設定情報１３ｃの内容へ変換する場合の例について説明した。しかし、車載装置１の設定変更部１４ｃが実行する解析変換処理は、これに限ったものではない。
【００９６】
そこで、実施例２では、解析変換処理の他の動作例について図８を用いて説明する。図８は、実施例２に係る解析変換処理の動作例を示す図である。なお、以下の説明では、既に説明した部分と同様の部分については、既に説明した部分と同一の符号を付し、重複する説明を省略する。
【００９７】
図８に示すように、実施例２では、サーバ５が、車載装置１の機種および携帯端末装置２の機種の組合せごとに、変換用アプリケーションを記憶するデータベース５１を備える。たとえば、データベース５１には、変換用アプリ「ＳＡ１−ＡＶ１」が記憶される。かかる変換用アプリ「ＳＡ１−ＡＶ１」は、機種「ＳＡ１」の携帯端末装置２と機種「ＡＶ１」の車載装置１との組合せに対応した専用の変換用アプリケーションである。
【００９８】
携帯端末装置２の制御部２３は、車載装置１との間で通信リンクを確立させると、かかる車載装置１から車載装置１の機種情報を取得する。なお、図８に示す例では、車載装置１の機種が「ＡＶ５」であるものとする。
【００９９】
つづいて、携帯端末装置２の制御部２３は、自装置の機種「ＳＡ１」および車載装置１の機種「ＡＶ５」の組合せに対応する変換用アプリ「ＳＡ１−ＡＶ５」をサーバ５からダウンロードする（図８の（１）参照）。ダウンロードされた変換用アプリ「ＳＡ１−ＡＶ５」は、たとえば記憶部２２に記憶される。
【０１００】
なお、対応する変換用アプリ（本例では「ＳＡ１−ＡＶ５」）を既にダウンロードし記憶している場合には、変換用アプリを新たにダウンロードせずに記憶している対応変換アプリを用いる用にすることにより、ダウンロードにかかる時間や費用等を削減することができる。
【０１０１】
つづいて、携帯端末装置２の規格化部２３ｃは、記憶部２２に記憶された変換用アプリ「ＳＡ１−ＡＶ５」に従って加工情報２２ｅを変換する（図８の（２）参照）。すなわち、実施例２に係る規格化部２３ｃは、加工情報２２ｅを規格化するのではなく、機種「ＡＶ５」の車載装置１において取り扱われる動作設定情報１３ｃの内容へ加工情報２２ｅを直接変換する。
【０１０２】
たとえば、携帯端末装置２の規格化部２３ｃは、加工情報２２ｅに含まれる「Ａ２」、「Ａ３」、「Ａ４」、「Ａ５」といった内容を、車載装置１で取り扱い可能な内容「Ｃ２」、「Ｃ３」、「Ｃ４」、「Ｃ５」へ直接変換して車載装置１へ送信する。そして、車載装置１の加工情報取得部１４ｂは、自装置向けの内容へ変換済みの加工情報２２ｅ、すなわち、動作設定情報を受信する（図８の（３）参照）。
【０１０３】
このように、自装置の機種および車載装置１の機種の組合せごとに、専用の変換用アプリケーションを作成し、加工情報２２ｅを規格化することなく車載装置１で取り扱う動作設定情報１３ｃの内容へ直接的に変換する。
【０１０４】
すなわち、図８に示した例では、携帯端末装置２の制御部が解析変換部を備え、かかる解析変換部が、加工情報を解析処理して動作設定情報へ変換する解析変換処理を行い、車載装置３の加工情報取得部１４ｂが、携帯端末装置２から動作設定情報を取得する設定情報取得部として機能し、設定変更部１４ｃが、加工情報取得部１４ｂによって取得された動作設定情報に基づいて自装置の動作設定状態を変更する。
【０１０５】
また、図８に示した例において、動作設定情報は、複数の機種の携帯端末装置２および複数の機種の車載装置３で共通して用いられる規格化設定情報である。そして、図８に示した例では、加工情報取得部１４ｂが、規格化設定情報を取得し、設定変更部１４ｃが、規格化設定情報を自装置で取り扱う設定情報の内容へ変換して、自装置の動作設定状態を変更する。
【０１０６】
これにより、規格化情報と、携帯端末装置２及び車載装置１における加工情報／設定情報のズレ（項目の有無や設定ステップ数の違い等）に伴う精度の低下を抑える事ができ、加工情報２２ｅを一旦規格化する場合と比較して精度の高い変換を行うことが可能となる。
【０１０７】
なお、図８では、変換用アプリケーション「ＳＡ１−ＡＶ５」を用いた変換処理を携帯端末装置２が行う場合の例について説明したが、変換用アプリケーション「ＳＡ１−ＡＶ５」を用いた変換処理は、車載装置１が行ってもよい。
【０１０８】
かかる場合には、車載装置１の加工情報取得部１４ｂが、携帯端末装置２から加工情報２２ｅを受信したのち、設定変更部１４ｃが、図８に示す（１）および（２）の処理を行えばよい。
【０１０９】
また、変換用アプリケーション「ＳＡ１−ＡＶ５」を用いた変換処理は、サーバ５が行ってもよい。図９に、実施例２に係る変換処理の他の動作例を示す。
【０１１０】
図９に示すように、携帯端末装置２の制御部２３は、サーバ５に対して変換要求を送信する（図９の（１）参照）。ここで、変換要求には、加工情報２２ｅ、自装置の機種情報（ここでは、「ＳＡ１」）、自装置と通信リンクを確立した車載装置１の機種情報（ここでは、「ＡＺ５」）等が含まれる。
【０１１１】
サーバ５は、携帯端末装置２から変換要求を受信すると、かかる変換要求に含まれる車載装置１の機種情報および携帯端末装置２の機種情報を参照して、対応する変換用アプリ「ＳＡ１−ＡＶ５」を選択する。また、サーバ５は、選択した変換用アプリ「ＳＡ１−ＡＶ５」に従って加工情報２２ｅを変換し（図９の（２）参照）、変換済みの加工情報２２ｅ、すなわち車載装置３向けの動作設定情報を携帯端末装置２へ送信する（図９の（３）参照）。
【０１１２】
そして、携帯端末装置２では、変換済みの加工情報２２ｅ（すなわち車載装置３向けの動作設定情報）をサーバ５から受信すると（図９の（４）参照）、加工情報送信部２３ｄが、受信した加工情報２２ｅ（すなわち車載装置３向けの動作設定情報）を車載装置１へ送信する。これにより、車載装置１の加工情報取得部１４ｂは、変換済みの加工情報２２ｅ（すなわち車載装置３向けの動作設定情報）を受信することとなる（図９の（５）参照）。
【０１１３】
このように、加工情報２２ｅの変換処理をサーバ５で行うこととすれば、携帯端末装置２は、異なる機種の車載装置１と通信リンクを確立するたびに、専用の変換用アプリケーションをサーバ５からダウンロードする必要がなくなる。また、携帯端末装置２の記憶部２２が変換用アプリケーションによって圧迫されるおそれもない。
【０１１４】
なお、サーバ５は、携帯端末装置２から加工情報２２ｅを受信し、受信した加工情報２２ｅを規格化する処理を行ってもよい。かかる場合、車載装置１の設定変更部１４ｃは、実施例１と同様、規格化された加工情報２２ｅを携帯端末装置２から受信し、受信した加工情報２２ｅを変換用アプリ２２ｆを用いて変換すればよい。
【０１１５】
また、携帯端末装置２は、車載装置１の動作設定情報１３ｃを車載装置１から吸い上げて、次回の乗車時に利用することとしてもよい。かかる場合、携帯端末装置２の制御部２３は、車載装置１との間であらたに通信リンクを確立させた場合に、加工情報２２ｅに代えて車載装置１から前回吸い上げた動作設定情報１３ｃを車載装置１へ送信する。そして、車載装置１では、設定変更部１４ｃが、携帯端末装置２から取得した動作設定情報１３ｃを記憶部１３へ記憶すればよい。
【０１１６】
さらなる効果や変形例は、当業者によって容易に導き出すことができる。このため、本発明のより広範な態様は、以上のように表しかつ記述した特定の詳細および代表的な実施の形態に限定されるものではない。したがって、添付の特許請求の範囲およびその均等物によって定義される総括的な発明の概念の精神または範囲から逸脱することなく、様々な変更が可能である。
【符号の説明】
【０１１７】
１  車載装置
１１  近距離通信インタフェース
１２  タッチパネルディスプレイ
１３  記憶部
１３ａ  登録済みユーザ情報
１３ｂ  変換用アプリ
１３ｃ  設定情報
１４  制御部
１４ａ  認証処理部
１４ｂ  加工情報取得部
１４ｃ  設定変更部
１４ｄ  表示制御部
１４ｅ  音量制御部
２  携帯端末装置
２１  近距離通信インタフェース
２２  記憶部
２２ａ  ユーザＩＤ
２２ｂ  設定情報
２２ｃ  アプリＡ
２２ｄ  アプリＢ
２２ｅ  加工情報
２２ｆ  変換用アプリ
２３  制御部
２３ａ  認証処理部
２３ｂ  加工情報抽出部
２３ｃ  規格化部
２３ｄ  加工情報送信部
３  認証装置
４  スピーカ
５  サーバ
５１  データベース
７０  車両
【図１】
0005827551.tif 000002
【図２Ａ】
0005827551.tif 000003
【図２Ｂ】
0005827551.tif 000004
【図３】
0005827551.tif 000005
【図４】
0005827551.tif 000006
【図５Ａ】
0005827551.tif 000007
【図５Ｂ】
0005827551.tif 000008
【図６】
0005827551.tif 000009
【図７】
0005827551.tif 000010
【図８】
0005827551.tif 000011
【図９】
0005827551.tif 000012